(57)【要約】【課題】  洗濯運転時の水没や脱水運転時の振動、乾燥運転時の高温等で、電子機器が破壊してしまうことを防ぐことができる洗濯乾燥機、または洗濯機を提供する。【解決手段】  水を溜める外槽と、前記外槽内に設置される洗濯脱水乾燥槽と、存在確認電波を送受信するアンテナと、前記アンテナからの信号を増幅、変調または検波、暗号化または復号化を行う無線送受信回路及び無線制御回路と、前記無線制御回路からの信号により、通信機能を有する電子機器の有無を判別するメイン制御ICと、使用者に運転状況や警告を報知する発音制御回路と、を有し、前記アンテナは、前記洗濯脱水乾燥槽内に存在する通信機能を有する電子機器との無線電波の送受信が可能とする。【選択図】  図１
2019118404.tif 000002
【特許請求の範囲】
【請求項１】
水を溜める外槽と、前記外槽内に設置される洗濯脱水乾燥槽と、存在確認電波を送受信するアンテナと、前記アンテナからの信号を増幅、変調または検波、暗号化または復号化を行う無線送受信回路及び無線制御回路と、前記無線制御回路からの信号により、通信機能を有する電子機器の有無を判別するメイン制御ICと、使用者に運転状況や警告を報知する発音制御回路と、を有し、前記アンテナは、前記洗濯脱水乾燥槽内に存在する通信機能を有する電子機器との無線電波の送受信が可能であることを特徴とする洗濯乾燥機。
【請求項２】
請求項１において、無線送受信回路、および無線制御回路を、前記コントロール基板とは異なる位置に設けられた別基板に搭載したことを特徴とする洗濯乾燥機。
【請求項３】
外枠と、前記外枠内に設けられ水を溜める外槽と、前記外槽内に回転可能に設置される洗濯脱水槽と、を有する洗濯機であって、
前記内蓋に取付けられ無線電波を受信するアンテナを有し、
前記アンテナに接続されて受信を制御する無線制御回路を前記制御装置に備え、
前記アンテナは前記洗濯脱水槽内に存在する電子機器の発する電波の受信が可能であり、
前記制御装置は、
前記電子機器が送信する電波を受信することで前記洗濯脱水槽内に前記電子装置が存在することを判定することを特徴とする洗濯機。
【請求項４】
前記制御装置は、洗濯、脱水、すすぎの各工程を制御する回路を搭載したコントロール基板を有し、前記無線制御回路は前記コントロール基板とは異なる位置に設けられた別基板に搭載され、該基板に前記アンテナが接続されていることを特徴とする請求項３に記載の洗濯機。
【発明の詳細な説明】
【技術分野】
【０００１】
本発明は、通信機能を有する電子機器が洗濯乾燥機の洗濯脱水乾燥槽内に存在する状態にて、洗濯乾燥機の洗濯乾燥運転を開始しない制御を行うことに関するものである。
【背景技術】
【０００２】
従来、衣類等の洗濯物と一緒に、意図せず携帯電話やスマートフォン等の電子機器を洗濯乾燥機の洗濯脱水乾燥槽に入れたまま洗濯乾燥運転を開始することにより、洗濯運転時の水没や脱水運転時の振動、乾燥運転時の高温等で、高価な電子機器が破壊してしまうことが頻繁に発生している。
【０００３】
一方、洗濯乾燥機で通信手段を持つ携帯報知端末を誤って洗濯脱水乾燥させない手段として、特開２００７−３７６１６（特許文献１）では、遠距離通信により洗濯乾燥機と通信し洗濯乾燥機の運転終了を報知する通信手段を持つ携帯報知端末が、洗濯乾燥機運転開始時に通信手段の通信距離を変更して、近距離通信で通信できた場合には洗濯乾燥機内に携帯報知端末が存在すると判断して、誤って衣類などに取付けられたまま運転を開始してしまうことを防止する手段が提案されている。
【先行技術文献】
【特許文献】
【０００４】
【特許文献１】特開２００７−３７６１６号公報
【発明の概要】
【発明が解決しようとする課題】
【０００５】
しかしながら、特許文献１の手段では、運転終了報知のための遠距離通信と、携帯報知端末が洗濯乾燥機内にあると判別するための近距離通信の両通信手段、及びその切換を行う手段を装備する携帯報知端末のみしか判別できず、且つその携帯報知端末は事前に使用する洗濯乾燥機と通信可能となるよう接続設定済みとなっている必要があるという課題があった。
【課題を解決するための手段】
【０００６】
本発明は、水を溜める外槽と、前記外槽内に設置される洗濯脱水乾燥槽と、存在確認電波を送受信するアンテナと、前記アンテナからの信号を増幅、変調または検波、暗号化または復号化を行う無線送受信回路及び無線制御回路と、前記無線制御回路からの信号により、通信機能を有する電子機器の有無を判別するメイン制御ICと、使用者に運転状況や警告を報知する発音制御回路と、を有し、前記アンテナは、前記洗濯脱水乾燥槽内に存在する通信機能を有する電子機器との無線電波の送受信が可能とする。
【発明の効果】
【０００７】
これによって、洗濯乾燥機の洗濯脱水乾燥槽内に通信機能を有する電子機器が存在している状態となっていることが判別可能となり、前記判別の結果、前記電子機器が洗濯脱水乾燥槽に存在している状態であると判別した場合には、洗濯乾燥運転を開始しないことで、前記電子機器の破壊を防ぐことが可能となる。
【図面の簡単な説明】
【０００８】
【図１】本実施例における洗濯乾燥機の縦断面図である。
【図２】本発明の実施例における制御ブロック図である。
【図３】本発明の実施例における制御フローチャートである。
【発明を実施するための形態】
【０００９】
図１は本発明の一実施形態を示す洗濯乾燥機の縦断面図である。図１に示す洗濯乾燥機の縦断面図において、洗濯乾燥機は洗濯乾燥機外枠１と、洗濯乾燥機外枠１を下から支持する外枠ベース２、洗濯乾燥機外枠１の上に設けられたトップカバー３、トップカバー３に開閉自在に備わる蓋４が設けられている。洗濯、すすぎ、脱水等の動作中、蓋４はロックされ開閉できない状態となる。外槽５は洗濯乾燥機外枠１の上側内部に設けたコーナ支持部８より垂下する吊棒７に防振バネ２１を介して防振支持される。洗濯脱水乾燥槽９は外槽５内に回転自在に置かれる。この洗濯脱水乾燥槽９の上部には、開閉自在に備わる内蓋１３が設けられている。内蓋１３の洗濯脱水乾燥槽９に面する下側面部には、無線電波を送受信するアンテナ１０が設けられている。
【００１０】
アンテナ１０はコントロール基板１８に接続され、無線送受信回路４３及び無線制御回路４２にて、送受信信号の増幅、変調または検波の信号処理が行われる。
【００１１】
尚、アンテナ１０を、コントロール基板１８とは別に洗濯乾燥機外枠１内に設けられ、無線送受信回路４３および無線制御回路４２を備える別基板に接続し、且つコントロール基板１８とこの別基板が制御信号を送受信するように接続されていてもよい。
【００１２】
メインモータ１９は、外槽５の底側下面に設けられる。メインモータ１９はフランジ２０を用いて外槽５に取り付けられる。メインモータ１９の回転主軸１５は洗濯脱水乾燥槽９の底面フランジ２７に固定され、洗濯脱水乾燥槽９を支持する。
【００１３】
回転主軸１５の中心には洗濯脱水乾燥槽９内に回転自在に置かれる洗濯翼１１を正逆回転させる内側回転軸（図示せず）が備わっている。メインモータ１９は、クラッチによる切り替え手段（図示せず）で洗濯脱水乾燥槽９と洗濯翼１１の回転動作を切り替えられる。洗濯物２６の洗いでは、メインモータ１９は正逆回転し、洗濯翼１１も正逆回転し洗濯物２６の撹拌が行われる。洗濯物２６の脱水では，メインモータ１９は高速で回転し，洗濯脱水乾燥槽９も高速回転し，洗濯脱水乾燥槽９の胴体に設けた脱水穴１２から遠心脱水が行われる。
【００１４】
外槽５内に貯留する洗濯水の水位は水圧の変化により水位センサー２８により検知され，その水位情報はコントロール基板１８に提供され，給水と排水を制御する。
【００１５】
排水電磁弁２２は外槽５の底部に設けた排水口に連通する排水ホース２３に備わる。洗濯やすすぎで使った水は排水電磁弁２２の開放で排水ホース２３を通じて機外へ排水される。脱水が行われる脱水運転は排水電磁弁２２を開放したままで行う。
【００１６】
排水電磁弁２２の開閉，モータ１９の運転，停止，速度調整はコントロール基板１８により制御される。また、コントロール基板１８は、使用者に洗濯運転の終了等を報知するブザー等の発音機能を備える。
【００１７】
本実施例では、コントロール基板１８はトップカバー３の後側に備えられる。電源スイッチ２５はトップカバー３の前側に設けられる。使用者は、電源スイッチ２５を投入し，表示基板２４に設けられる各種入力スイッチを操作して洗濯乾燥機の動作を設定する。表示基板２４は、選択した運転コースや現在の運転状況、使用者への注意喚起、等を表示する手段を備える。尚、コントロール基板１８、表示基板２４は、それぞれ洗濯乾燥機外枠１内の異なる位置に取付けられていても良い。
【００１８】
本実施形態により、洗濯脱水乾燥槽９内に電子機器３０が存在し且つ電波を送受信している場合に、内蓋１３に設けたアンテナ１０により、前記電子機器３０と電波を送受信することが可能となる。
次に本実施例における制御動作の説明を、図２の制御ブロック図および図３の制御フローチャートを用いて説明する。
【００１９】
まず、電源入りＳ１ステップで洗濯乾燥機の電源が投入されると、各制御回路に接続し、洗濯乾燥機全体の運転工程制御を行うメイン制御ＩＣ４１、アンテナ１０にて送受信される無線信号の増幅、変調または検波の信号処理が行われる無線制御回路４２及び無線送受信回路４３、選択した運転コースや現在の運転状況、使用者への注意喚起、等を表示する表示素子４９を制御駆動する表示制御回路４８、使用者に洗濯運転の終了等を報知するブザー等の発音素子５１を制御駆動する発音制御回路５０の各ＩＣ、回路に電源が供給され動作を開始する。
【００２０】
ここで、洗濯乾燥機は、使用者からの動作開始指示を待ち受けるＳ２ステップとなり、以降の洗濯乾燥機の動作遷移は、メイン制御ＩＣ４１により制御される。
【００２１】
次に、メイン制御ＩＣ４１は、使用者が洗濯乾燥機に設けられた動作開始指示ボタンを押下する操作が行われたことを検知した場合、無線制御回路４２、無線送受信回路４３、アンテナ１０により、通信機能を有する電子機器３０の存在の確認を行うため、電子機器３０からの送信電波が受信できるかを判定するＳ３ステップに遷移する。このとき確認する送信電波としては、一般に広く普及、流通している無線通信方式、例えばIEEE802.11b/g/nによる無線LANにおけるプローブ要求の送信電波を使用することができる。
【００２２】
ここで、当該洗濯乾燥機の洗濯脱水乾燥槽９内に、前記送信電波を送信する電子機器３０が存在していない場合、Ｓ３ステップにおいて、アンテナ１０は前記電子機器３０からの送信電波を受信しないため、メイン制御ＩＣ４１により、制御はＳ４ステップに遷移して、使用者により設定された洗濯乾燥機としての運転動作を開始する。
【００２３】
一方、当該洗濯乾燥機の洗濯脱水乾燥槽９内に、前記送信電波を送信する電子機器３０が存在している場合、前記Ｓ３ステップにおいて、メイン制御ＩＣ４１は、前記電子機器３０から送信された送信電波を、アンテナ１０、無線送受信回路４３、無線制御回路４２により受信して検知し、Ｓ５ステップに遷移する。
【００２４】
Ｓ５ステップにおいて、メイン制御ＩＣ４１は、表示制御回路４８による表示素子４９への警告表示、および発音制御回路５０による発音素子５１への警告発音により、使用者に洗濯脱水乾燥槽９内に前記電子機器３０が存在することを報知する。
【００２５】
そのうえで、給水電磁弁制御回路４４により給水電磁弁６を開放する給水動作や、メインモータ制御回路４５によるメインモータ１９の回転動作、および乾燥ファンモータ制御回路４６による乾燥ファンモータ４７の回転動作、等の運転動作を開始せず、再度、使用者からの動作開始指示を待ち受けるＳ２ステップに遷移する。
【００２６】
尚、Ｓ１〜Ｓ５の処理において、電子機器３０が洗濯脱水乾燥槽９内に存在するかの確認は、電子機器３０からの送信される送信電波の受信の有無により行われるため、本判別のための専用の手段を有しない電子機器や、洗濯乾燥機との通信設定を事前に行っていない電子機器３０についても、洗濯脱水乾燥槽内の存在判別が可能である。
以上の本実施例によれば、洗濯乾燥機の洗濯脱水乾燥槽９内に、通信機能を有する電子機器３０が存在する状態となっていることを判別し、この結果、前記電子機器３０が洗濯脱水乾燥槽９に存在する状態である場合に、給水動作やメインモータ回転動作、乾燥ファンモータ回転動作を開始せずに、使用者に警告表示や警告発音を報知することにより、前記電子機器３０の破壊を防ぐことが可能となる。
【００２７】
なお，このような構成を有する洗濯乾燥機であれば，洗濯翼１１を洗濯脱水乾燥槽９の底に設置する縦型の洗濯乾燥機や限らず，ドラム式の洗濯乾燥機であっても良い。
【００２８】
また、乾燥機能を有しない縦型の洗濯機やドラム式の洗濯機であっても良い。
【符号の説明】
【００２９】
１    洗濯乾燥機外枠
２    外枠ベース
３    トップカバー
４    蓋
５    外槽
６    給水電磁弁
７    吊棒
８    コーナ支持部
９    洗濯脱水乾燥槽
１０  アンテナ
１１  洗濯翼
１２  脱水穴
１３  内蓋
１５  回転主軸
１８  コントロール基板
１９  メインモータ
２０  フランジ
２１  バネ
２２  排水電磁弁
２３  排水ホース
２４  表示基板
２５  電源スイッチ
２６  洗濯物
２７  底面フランジ
２８  水位センサー
３０  電子機器
４１  メイン制御ＩＣ
４２  無線制御回路
４３  無線送受信回路
４４  給水電磁弁制御回路
４５  メインモータ制御回路
４６  乾燥ファンモータ制御回路
４７  乾燥ファンモータ
４８  表示制御回路
４９  表示素子
５０  発音制御回路
５１  発音素子
【図１】
2019118404.tif 000003
【図２】
2019118404.tif 000004
【図３】
2019118404.tif 000005